(57)【要約】【課題】回転電機を収容するケースの開口に装着され、ケース内部と外部の回転電機のための電気配線を中継する端子台において、電気配線間での電磁ノイズの漏洩を抑制する。【解決手段】端子台１０は、金属製のカバープレート１８と、樹脂製の電力用コネクタハウジング２８および信号用コネクタハウジング３８とをインサート成形により一体形成したものである。カバープレート１８の一部が曲げ起こされた遮蔽板４０が、電力用コネクタハウジング２８の、信号用コネクタハウジング３８側の面の少なくとも一部を覆っている。この遮蔽板４０により、電力線から発生する電磁ノイズが信号線に対し遮蔽される。【選択図】図２
2012100381.tif 000002
【特許請求の範囲】
【請求項１】
回転電機を収容するケースの開口に対して装着され、ケース内部と外部の電気配線を中継するための端子台であって、
前記ケースの開口周縁に結合され、金属板により形成されるカバープレートと、
前記ケース内外の電力線を中継する電力線中継端子を収容し、カバープレートに交差して配置される電力用コネクタハウジングと、
前記ケース内部に配置されたセンサからの信号線を中継する信号線中継端子を収容し、カバープレートに交差して配置される信号用コネクタハウジングと、
を有し、
カバープレートは、電力用コネクタハウジングの、信号用コネクタハウジング側の面の少なくとも一部を覆うように配置された遮蔽部であって、カバープレートを形成する平板状の金属板の曲げ起こされた部分である遮蔽部を有し、
電力用コネクタハウジング及び信号用コネクタハウジングは、カバープレートを型内に配置した状態で樹脂を注入して、カバープレートと一体に成形される、
回転電機用端子台。
【発明の詳細な説明】
【技術分野】
【０００１】
本発明は、ケースに収容された回転電機に関する電気配線を、ケース内部と外部で中継するための端子台に関する。
【背景技術】
【０００２】
電動機が密閉されたケース内に収容される場合がある。例えば、電動機を動力源とした電気自動車、ハイブリッド自動車等の自動車において、電動機が、トランスミッションまたはトランスアクスルのケース内に収容される場合がある。トランスアクスルとは、変速装置、差動装置および最終減速機が一体化された装置である。また、よく知られているように、電気自動車等の電気車両においては、制動時に電動機を発電機として機能させることが行われる。以下においては、このような電動機および発電機として機能する電気機械を回転電機と記して説明する。
【０００３】
回転電機がケースに収容されている場合、電動機に電力を送る電力線をケース内外で中継する必要がある。また、電動機の状態、例えば回転角度等の情報を外部に送る場合にも、ケース内に配置されたセンサの信号をケース内外で中継する必要がある。このために、下記特許文献１においては、ケースに開口を設け、この開口に対し端子台を装着し、端子台を介してケース内外の電気配線を接続した例が開示されている。
【０００４】
また、下記特許文献２においては、インサート成形により金属板と樹脂が一体に成形されたコネクタターミナルが示されている。
【先行技術文献】
【特許文献】
【０００５】
【特許文献１】特開２００８−３０１５４４号公報
【特許文献２】特開２００４−２８９３４号公報
【発明の概要】
【発明が解決しようとする課題】
【０００６】
回転電機を収容したケースに装着した端子台により電力線と信号線の中継を行う場合、電力線を流れる電流により電磁ノイズが発生し、電力線と信号線が近接しているために、前記の電磁ノイズが信号線の信号に乗る場合がある。
【０００７】
本発明は、端子台内の電力線と信号線の間での電磁遮蔽性能を高めることを目的とする。
【課題を解決するための手段】
【０００８】
本発明に係る回転電機用端子台は、回転電機を収容するケースの開口に対して装着される。この端子台は、インサート成形により、金属板により形成されるカバープレートを一体とした樹脂成形品である。カバープレートはケースの開口周縁に結合され、端子台の樹脂部分は、ケース内外の電力線を中継する電力線中継端子を収容する電力用コネクタハウジングと、ケース内部に配置されたセンサからの信号線を中継する信号用コネクタハウジングとを含む。これらの電力用および信号用コネクタハウジングは、カバープレートが形成する面に交差するように配置されている。カバープレートは一部が曲げ起こされて、この曲げ起こされた部分が電力用コネクタハウジングの、信号用コネクタハウジング側の面の少なくとも一部を覆うように配置される。この部分により電力線と信号線の間が電磁遮蔽される。
【発明の効果】
【０００９】
簡易な構成で、電力線と信号線の間を電磁的に遮蔽をすることができる。
【図面の簡単な説明】
【００１０】
【図１】本実施形態の回転電機用端子台のケースに装着した状態を示す斜視図である。
【図２】本実施形態の回転電機用端子台を単体で示す斜視図である。
【図３】本実施形態の回転電機用端子台を一部透視した状態で示す斜視図である。
【図４】本実施形態の回転電機用端子台の断面図である。
【図５】カバープレートの単体を示す斜視図である。
【図６】他のカバープレートの単体を示す斜視図である。
【発明を実施するための形態】
【００１１】
以下、本発明の実施形態を、図面に従って説明する。図１は、本実施形態の回転電機用端子台（以下、単に端子台と記す。）１０をトランスアクスルケース等の回転電機を収容するケース１２に装着した状態を示す図である。図２は、端子台１０を単体で示す図であり、図３は、端子台１０の一部を透視した状態を示す図である。図４は、図３のＡ−Ａ線で示す位置での端子台１０の断面を示す図である。
【００１２】
端子台１０は、ケース１２の開口１４（図４参照）を塞ぐように、ケース１２に装着され、さらに、図１によく示されるように、ケース１２に装着された状態でその上部をシールドシェル１６に覆われている。端子台１０は、金属板製、好ましくは鋼板製のカバープレート１８を有し、このカバープレートがケース開口１４の周縁部にボルト２０により固定され、これにより端子台１０全体がケース１２に装着される。端子台１０は、更に回転電機に電力を供給するための、また回転電機から電力を送り出す電力線を中継するための電力用コネクタ２２と、回転電機のロータの角度位置や、回転電機の主要部またはトランスアクスル内部の温度に関する信号が伝達される信号線を中継するための信号用コネクタ２４を有する。電力用および信号用コネクタ２２，２４は、ケース１２を貫通するように、言い換えれば、ケース開口１４に固定されたカバープレート１８に対し、交差するように延びて配置される。
【００１３】
電力用コネクタ２２は、電力線中継端子２６と、電力線中継端子２６を収容する電力用コネクタハウジング２８を含む。電力線中継端子２６は、細長い金属板、好ましくは銅板であり、その両端にナット３０が溶接により固定されている。電力線中継端子２６には、ナット３０，３２に対応して孔が設けられている。ケース１２の内側の電力線中継端子２６の端部には、ナット３２にボルトをねじ結合させて回転電機からの電力線が結合される。外側の端部には、電力用コネクタハウジング２８の側方に向いた開口３４から進入した電力線がボルトを利用して結合される。ボルトを締める際には、電力用コネクタハウジング２８の上方に向いた開口３６からボルト及びボルトを締めるための工具が挿入される。信号用コネクタ２４も電力用コネクタ２２と同様、ケース内外の信号用の配線を結合するための金属製の端子（不図示）と、これを収容する信号用コネクタハウジング３８を含む。
【００１４】
電力用および信号用コネクタハウジング２８，３８は、樹脂製であり、カバープレート１８を成形型内に配置し、型内に樹脂を注入するインサート成形により形成される。この結果、カバープレート１８と電力用および信号用コネクタハウジング２８，３８とは一体に成形される。また、カバープレート１８の他に、電力線中継端子２６もインサート部品として一体成形することもできる。さらに、信号用の配線のための端子もインサート部品とすることができる。
【００１５】
トランスアクスルケース１２にあける開口は、ケースの剛性を確保する上で小さいことが好ましく、このため電力用および信号用コネクタ２２，２４は近接して配置されることになる。この近接配置のために、電力線を流れる電流により発生した電磁ノイズが、信号線の信号に乗る場合がある。端子台１０においては、このノイズを遮蔽するために遮蔽板４０を有している。この遮蔽板４０は、図５に示すように、カバープレート１８の一部を曲げ起こして形成される。したがって、カバープレート１８は、ケースの開口１４の端面に沿うベース部４２と、ベース部４２の形成する面から曲げ起こされ、この面に交差する遮蔽部（遮蔽板４０）を有する。
【００１６】
遮蔽板４０は、電力用コネクタハウジング２８の、信号用コネクタハウジング３８側の面４４の少なくとも一部を覆うように配置される。これにより、遮蔽板４０は、電力用コネクタ２２と信号用コネクタ２４の間に介在し、電力線から発生する電磁ノイズの遮蔽を行う。図４によく示されるように遮蔽板４０は、電力用コネクタハウジング２８に密着して設けられることが好ましい。
【００１７】
カバープレート１８は、図５に示されるように平板状のベース部４２の中央部分に開口４６を有しており、この開口４６を貫通するように、電力用および信号用コネクタ２２，２４が位置している。遮蔽板４０は、曲げ起こしの前は、この開口４６内に位置し、ベース部４２と共に１枚の平板形状を形成している。これをベース部４２に対し直交するまで曲げ起こし、図５に示す形状としている。
【００１８】
図３に示されるように、遮蔽板４０は、３本の電力線中継端子２６の内２本を覆い、信号用コネクタに対して電磁遮蔽している。さらに、もう１本の電力線中継端子２６を覆う必要が生じた場合には、図６に示すカバープレート４８を採用することができる。このカバープレート４８は、前述のカバープレート１８の遮蔽板４０に対し、図中左方向に延長された長い遮蔽板５０を有している。他の形状等は、カバープレート１８と同様である。遮蔽板５０の延長された部分は、図３中左側の電力線中継端子２６を覆うまで延びており、これにより、３本の電力線中継端子２６からの電磁ノイズを遮蔽する。
【符号の説明】
【００１９】
１０  回転電機用端子台、１２  ケース、１４  開口、１８  カバープレート、２２  電力用コネクタ、２４  信号用コネクタ、２６  電力線中継端子、２８  電力用コネクタハウジング、３８  信号用コネクタハウジング、４０  遮蔽板（遮蔽部）、４８  カバープレート、５０  遮蔽板（遮蔽部）。
【図１】
2012100381.tif 000003
【図２】
2012100381.tif 000004
【図３】
2012100381.tif 000005
【図４】
2012100381.tif 000006
【図５】
2012100381.tif 000007
【図６】
2012100381.tif 000008